(57)【特許請求の範囲】
【請求項１】
一方の部材と他方の部材にそれぞれ取り付けられるリング紐とリング環を接続する接続具であって、前記接続具は、前記リング紐が挿通可能な保持体と、前記リング紐およびリング環のリング部の一部を収容可能な空間部を有する接続具本体とで構成され、該接続具本体は前記リング紐およびリング環のリング部の一部を挿通可能な開口を備え、前記接続具本体を前記保持体内に嵌入することにより、前記開口が閉塞されるとともに、前記保持体が接続具本体に係止されることを特徴とする接続具。
【請求項２】
前記開口は保持体により閉塞される請求項１に記載の接続具。
【請求項３】
前記接続具本体は、外方に向けて付勢された係止突起を有する弾性片を備え、前記保持体に前記係止突起と係止可能な係止孔が形成されている請求項１または２に記載の接続具。
【請求項４】
前記開口は接続具本体に設けた鈎部と鈎受け部の遊端に形成される開口部で構成され、接続具本体が保持体内に嵌入したときに保持体により鈎部が鈎受け部に向かって移動して両者が係合し、前記開口部が閉塞される請求項１に記載の接続具。
【請求項５】
前記鈎部は、外方に向けて付勢された係止突起を有する弾性片で構成され、前記保持体に前記係止突起と係止可能な係止孔が形成されている請求項４に記載の接続具。
【発明の詳細な説明】
【技術分野】
【０００１】
本発明は、一方の部材と他方の部材にそれぞれ取り付けられるリング紐とリング環を接続する接続具に関する。
【背景技術】
【０００２】
従来の、例えば携帯電話機とストラップとを接続する取付本体部は金属製の筒体で構成され、一端側に松葉紐の両端を結んだ携帯電話機側に接続されるリング状の紐部が、他端側にストラップと接続される二重の輪となる線状のリング部材が取り付けられている。そしてリング状の紐部は筒体のフランジ部に設けた開口を通して挿入され、紐部の端部に抜け止め具を装着して取付本体部から抜けないようにしている。一方リング部材は筒体のフランジ部の対向する側に形成したリング挿通孔に挿通して取り付けられている。（特許文献１参照）。
【０００３】
【特許文献１】特開２００１−３０９８１３号公報（段落００１２〜００１６、図３）
【発明の開示】
【発明が解決しようとする課題】
【０００４】
しかしながら、特許文献１にあっては、紐部が筒体内の抜け止め具によって係止されているものの、長期に渡り使用されると抜け止め具がゆるんできて、紐部に強い引っ張り力が加えられると、筒体の開口から抜け出てしまう虞があった。また、リング部材の筒体への取り付けは、リング部材が二重の輪と成っているために、線状の有端部を二重の輪から広げ挿通孔に差し込んで挿入しなければならず手間が掛かり面倒であった。
【０００５】
本発明は、このような問題点に着目してなされたもので、紐部およびリング部材を容易に取り付けることができ、長期に渡り使用しても紐部が抜け出ることのない接続具を提供することを目的とする。
【課題を解決するための手段】
【０００６】
上記課題を解決するために、本発明の請求項１に記載の接続具は、一方の部材と他方の部材にそれぞれ取り付けられるリング紐とリング環を接続する接続具であって、前記接続具は、前記リング紐が挿通可能な保持体と、前記リング紐およびリング環のリング部の一部を収容可能な空間部を有する接続具本体とで構成され、該接続具本体は前記リング紐およびリング環のリング部の一部を挿通可能な開口を備え、前記接続具本体を前記保持体内に嵌入することにより、前記開口が閉塞されるとともに、前記保持体が接続具本体に係止されることを特徴としている。
この特徴によれば、保持体に挿通したリング紐およびリング環のリング部の一部を開口から挿通させるだけで、容易に接続具本体を空間部内に納めることができ、接続具本体を保持体内に嵌入して開口を塞げば、リング紐およびリング環は開口から抜け出ることはなく、たとえリング紐に強い負荷が加えられた場合でも、リング紐が切断されない限り容易に接続具から外れることはない。
【０００７】
本発明の請求項２に記載の接続具は、請求項１に記載の接続具であって、前記開口は保持体により閉塞されることを特徴としている。
この特徴によれば、接続具本体を保持体内に嵌入するだけで開口を閉塞できるので、簡素で取り扱いやすい構造となる。
【０００８】
本発明の請求項３に記載の接続具は、請求項１または２に記載の接続具であって、前記接続具本体は、外方に向けて付勢された係止突起を有する弾性片を備え、前記保持体に前記係止突起と係止可能な係止孔が形成されていることを特徴としている。
この特徴によれば、接続具本体の保持体内への嵌入時に、弾性片の外方への付勢力により係止孔に係止突起が容易に係合でき、接続具本体と保持体との相互の離脱が防止されるとともに、開口の閉塞状態が維持されるので、リング紐およびリング環は接続具本体から外れることなく収容される。
【０００９】
本発明の請求項４に記載の接続具は、請求項１に記載の接続具であって、前記開口は接続具本体に設けた鈎部と鈎受け部の遊端に形成される開口部で構成され、接続具本体が保持体内に嵌入したときに保持体により鈎部が鈎受け部に向かって移動して両者が係合し、前記開口部が閉塞されることを特徴としている。
この特徴によれば、鈎部と鈎受け部とが係合して開口部が閉塞されるので、鈎部と鈎受け部とが外れない限りリング紐およびリング環は接続具本体の空間部に確実に収容保持される。
【００１０】
本発明の請求項５に記載の接続具は、請求項４に記載の接続具であって、前記鈎部は、外方に向けて付勢された係止突起を有する弾性片で構成され、前記保持体に前記係止突起と係止可能な係止孔が形成されていることを特徴としている。
この特徴によれば、接続具本体の保持体内への嵌入時に、弾性片の外方への付勢力により係止孔に係止突起が容易に係合でき、接続具本体と保持体との相互の離脱が防止されるとともに、開口部の閉塞状態が鈎部と鈎受け部で確実に維持されるので、リング紐およびリング環は接続具本体から外れることなく収容される。
【発明を実施するための最良の形態】
【００１１】
本発明の実施例を以下に説明する。
【実施例１】
【００１２】
図１は、本発明の実施例１における接続具の使用例を示す斜視図であり、図２は、接続具を構成する保持体と接続具本体の全体像を示す分解組立斜視図であり、図３は、接続具本体に紐とリングを取り付ける過程を示す側面図であり、図４は、保持体に接続具本体を取り付ける過程を示す一部破断側面図であり、図５は、保持体に接続具本体が嵌入される状態を示す一部破断側面図であり、保持体と接続具本体の連結状態を示す一部破断側面図である。
【００１３】
図１に示されるように接続具１は、利用者の首や手首等に吊り下げ可能な環状紐のストラップ１１に携帯電話等の携帯端末１０やキャラクター等の被吊体を取り付けるために利用される接続具である。この接続具１は、プラスチック樹脂材で成形された接続具本体３と保持体２とから構成されており、接続具本体３に保持体２が係脱可能に装着されている。
【００１４】
接続具１は、ストラップ１１を取り付けた金属線材で２重の円環状のリング環８と、携帯端末１０の孔１０ａに括り付けることが可能な松葉紐状のリング紐７を接続するもので、接続状態において接続具本体３の一部が保持体２で覆われている。以下、本実施例の説明において、図１に示された接続具１のリング紐７側を前方とし、ストラップ１１側を後方として説明する。
【００１５】
図２に示されるように、保持体２は前方側が有底の筒体で形成され、有底部に前後に貫通する貫通孔２ｂが形成されている。筒体後端側の略縦長の開口端部２ｄから前方に向けて、接続具本体３が挿入可能な嵌入孔２ａが形成されている。
【００１６】
接続具本体３には、前述の保持体２の嵌入孔２ａに挿入可能な側面視略Ｕ字状の外周部４と、外周部４の後部に位置する肉厚の頭部５とから構成され、外周部４の内部にはリング紐７およびリング環８のリング部の一部を収容可能な空間部４ａが形成されている。頭部５内にはリング環８を収容可能な取付孔５ａが形成されており、取付孔５ａの一部が空間部４ａと連結されている。そして外周部４の前方先端には前方に突出した凸部４ｄが設けられており、凸部４ｄの左右リング紐７を案内する紐溝４ｅ，４ｅが形成されている。
【００１７】
外周部４の一部は外方に付勢力を有する弾性片４ｆで構成され、この弾性片４ｆには外方に向けて突出する係止突起４ｃが形成されるとともに、係止突起４ｃの近傍位置に内方に向けて下方を向く鈎部４ｂが形成されている。頭部５の前面には平坦面５ｃが形成され、この中央位置には上方を向く鈎受け部５ｂが前方に向けて突設されている。通常は弾性片４ｆが凸部４ｄを中心に外方に向かって開いているので、鈎部４ｂと鈎受け部５ｂの遊端側に開口部６が形成されているが、鈎部４ｂが鈎受け部５ｂに向かって押動されると、鈎部４ｂは鈎受け部５ｂと係止可能になっている。
【００１８】
次に、図３〜図６を用いて一方の部材である携帯端末１０と他方の部材であるストラップ１１の接続具１を用いた連結について具体的に説明する。まず、図３示されるように、予め保持材２の貫通孔２ｂにはリング紐７が挿通されており（図４参照）、特に図示しないがリング環８には予め前述のストラップ１１が取り付けられている。
【００１９】
そこで、リング紐７を略環状に広げてそのリング部の一部を開口部６より内部に挿通させ、空間部４ａに収容するとともに、リング環８もリング部の一部を開口部６より挿通させながら空間部４ａより頭部５の取付孔５ａに納める。取付孔５ａ内ではリング環８の位置は固定されることなく、遊嵌した状態で保持されている。
【００２０】
次いで、図４に示されるように、空間部４ａ内に挿通されたリング紐７が前方に向けて一定の張力が加えられると、リング紐７の後端部が外周部４の紐溝４ｅに案内され位置が固定される。そこで保持材２と凸部４ｄを保持材２側に向けた接続具本体３とを相対的に近接させていくと、徐々に保持材２の嵌入孔２ａ内に接続具本体３の外周部４が嵌入され始め、弾性片４ｆの外面が開口端部２ｄと当接しながら空間部４ａに向けて内方に弾性変形していく。
【００２１】
そして、図５に示されるように、接続具本体３が保持材２の嵌入孔２ａ内に更に嵌入されると、弾性片４ｆの遊端側の係止突起４ｃが開口端部２ｄに摺接されながら、弾性片４ｆの外方への付勢方向に抗して押し下げられていくとともに、鈎部４ｂも連動され下方の鈎受け部５ｂに向けて押圧され、鈎部４ｂが鈎受け部５ｂに係止されて開口部６が閉塞される。
【００２２】
さらに接続具本体３の嵌入が継続され、図６に示されるように、弾性片４ｆの係止突起４ｃが係合孔２ｃの位置にくると外方に向けて跳ね上がり、係合孔２ｃに係止し、同時に凸部４ｄが保持体２の貫通孔２ｂ内に嵌入され、接続具本体３に保持体２が移動不能に連結される。
【００２３】
このように、鈎部４ｂと鈎受け部５ｂとが外れない限り、開口部６の閉塞状態が鈎部４ｂと鈎受け部５ｂで確実に維持されるので、接続具本体４のみでリング紐７およびリング環８が開口部６から抜け出ることが防止され、更に保持体２が接続具本体３に連結して弾性片４ｆの移動を拘束しているので、鈎部４ｂと鈎受け部５ｂの係止状態が解除不能に保持され、リング紐７は空間部４ａにリング環８は取付孔５ａ内に取り外し不能に保持されることになる。
【００２４】
したがって、接続具本体３と保持体２との相互の離脱が防止されるとともに、開口部６の閉塞状態が確実に維持されるので、リング紐７およびリング環８は接続具本体３から外れることなく収容される。また、凸部４ｄには紐溝４ｅが形成され、この紐溝４ｅ内に予めリング紐７を案内したことで、リング紐７を凸部４ｄの外周と貫通孔２ｂ内で挟み込まれることが回避され、保持体２の取り付け時にリング紐７に損傷を与えることが防止されている。
【００２５】
また、取付孔５ａ内に挿通されたリング環８は、平坦面５ｃと当接した略縦長の開口端部２ｄによって、空間部４ａへの移動が規制され取付孔５ａ内で移動自在に確実に保持される。したがって、リング環８は肉厚の頭部５内のみに収容されることで、比較的硬質のリング環８であっても、接続具本体３の変形や破壊が起こりにくく接続具１の長寿命化が図れる。
【００２６】
また、接続具本体３から保持体２の連結を解除するには、係止突起４ｃを外方から係止孔２ｃ内方に向けて押圧して係止孔２ｃから解放することで、互いを前後方向に離間すればよく、容易に接続具本体３から保持体２を取り外すことができるので、その後、接続具本体３の鈎部４ｂと鈎受け部５ｂの係止状態を解除するだけで、リング紐７やリング環８の交換や追加が行える。
【００２７】
以上の説明により実施例１では、携帯端末１０（一方の部材）に取り付け可能なリング紐７と、ストラップ１１（他方の部材）を取り付けることができるリング環８が開口を介して容易に接続具本体３枚の空間部４ａに挿入でき、その後、保持部材と接続具本体３との連結により、リング紐７とリング環８が接続具１に取り外し不能に取り付けられ、携帯端末１０やストラップ１１に強い引っ張り力が加えられても、リング紐７が切断されない限り接続具１からリング紐７が取り外れることはなく、リング環８は肉厚の頭部５に収容されるので、接続具本体３の変形や破壊が起こりにくい。
【実施例２】
【００２８】
次に、本発明の実施例２を図７に基づいて説明する。図７は、本発明の実施例２における接続具を示す一部破断側面図である。尚、以下の実施例２において前述の実施例１と同様の構造部分に関しては、同一の符号を付すことにより詳細な説明は省略することにする。
【００２９】
上記した実施例１においては、保持体２を外周部４に連結する前過程で、すでに鈎受け部５ｂに鈎部４ｂが係止されると開口部６が閉塞され、接続具本体３のみでリング紐７およびリング環８を空間部４ａから抜け出ないように保持されたことから好ましいが、本発明はこれに限定されるものではない。
【００３０】
図７に示されるように、接続具１’は保持体２と接続具本体３’の２部品から成り、接続具本体３’は鈎部および鈎受け部を設けない側面視略Ｕ字状の外周部４’と頭部５’を備えている。そして、係止突起４ｃが設けられた外周部４’の一部が弾性片４ｆとして構成され、その弾性片４ｆの遊端側と頭部５’間に形成される開口部９を介して空間部４ａ’にリング紐７およびリング環８を挿通し、リング環８をさらに頭部５’の取付孔５ａに収容した後、嵌入孔２ａに接続具本体３’の外周部４’を嵌入して保持体２の開口端部２ｄを頭部５’の平坦面５ｃに当接することで、開口部９を閉塞する。
【００３１】
そして、実施例１と同様に係止突起４ｃが弾性片４ｆの外方への付勢力により係止孔２ｃ内で係止され、保持体２が接続具本体３’に移動不能に連結されるので、開口部９が保持体２で確実に閉塞され、リング紐７およびリング環８が接続具本体３’から取り外れることがない。このように、実施例１に記載の接続具に比べ鈎部４ｂが鈎受け部５ｂを有していない点で相違しているが、鈎部４ｂや鈎受け部５ｂを設けなくてリング紐７およびリング環８を接続具本体３’内に取り外し不能に保持でき、構造が簡素で取り扱いやすい接続具１’が提供できる。
【００３２】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、携帯端末１０の孔１０ａにリング紐７に取り付け、ストラップ１１をリング環８に取り付けているが、本発明はこれに限定されるものではなく、使用状態に応じてリング紐７およびリング環８にマスコット等、適宜他の部材を取り付けても良い。また、リング環８に替えて公知のストラップを直に開口６から空間部４ａに挿通して、接続具本体３に取り付けるようにしても良いことは言うまでもなく、本実施例で用いられた金属製のリング環８の替わりに紐状のリング環を用いても良い。
【００３３】
また、上記実施例１では、鈎部４ｂと係止突起４ｃを弾性片４ｆに設けることで、接続具本体３の保持体２内への嵌入時に連動して、鈎部４ｂと鈎受け部５ｂとの係止と、保持体２の固定を行っているが、保持体２の固定を係止孔２ｃと弾性片に設けた係止突起４ｃとの係合で行う必要はなく、保持体２と接続具本体３が係脱自在に係合できればどの様な構成であっても良い。
【００３４】
更に、実施例１，２ではリング環８として２重の線状リング体を用いているが、無端のリング体を用いることもできる。更にまた、リング環８は肉厚の頭部５，５’に設けた取付孔５ａに収容するようにしているが、取付孔を形成せず空間部４ａに収容するようにしても良い。
【図面の簡単な説明】
【００３５】
【図１】本発明の実施例１における接続具の使用例を示す斜視図である。
【図２】接続具を構成する保持体と接続具本体の全体像を示す分解組立斜視図である。
【図３】接続具本体に紐とリングを取り付ける過程を示す側面図である。
【図４】保持体に接続具本体を取り付ける過程を示す一部破断側面図である。
【図５】保持体に接続具本体が嵌入される状態を示す一部破断側面図である。
【図６】保持体と接続具本体の連結状態を示す一部破断側面図である。
【図７】本発明の実施例２における接続具を示す一部破断側面図である。
【符号の説明】
【００３６】
１、１’          接続具
２                保持体
２ａ              嵌入孔
２ｂ              貫通孔
２ｃ              係止孔
２ｄ              開口端部
３、３’          接続具本体
４、４’          外周部
４ａ、４ａ’      空間部
４ｂ              鈎部
４ｃ              係止突起
４ｄ              凸部
４ｅ              紐溝
４ｆ              弾性片
５、５’          頭部
５ａ              取付孔
５ｂ              鈎受け部
５ｃ              平坦面
６                開口部
７                リング紐
８                リング環
９                開口部
１０              携帯端末（一方の部材）
１０ａ            孔
１１              ストラップ（他方の部材）
【図１】
0004518267.tif 000002
【図２】
0004518267.tif 000003
【図３】
0004518267.tif 000004
【図４】
0004518267.tif 000005
【図５】
0004518267.tif 000006
【図６】
0004518267.tif 000007
【図７】
0004518267.tif 000008